(57)【特許請求の範囲】
【請求項１】
端末装置を利用するユーザに関する行動情報を取得する取得部と、
前記取得部により取得された前記行動情報により特定される所定の行動が行われた時刻と、所定の公衆放送の放送時刻とが所定の条件を満たす場合、前記端末装置を利用するユーザを前記所定の公衆放送によって前記所定の行動を行ったユーザである影響ユーザと判定する判定部と、
前記判定部により影響ユーザと判定されたユーザの端末装置に、前記所定の公衆放送の内容に基づいて変更された広告を配信する配信部と、
を備えたことを特徴とする判定装置。
【請求項２】
前記取得部は、
前記端末装置から位置情報を取得し、
前記判定部は、
前記所定の行動が行われた時刻と、前記端末装置から取得した前記位置情報により特定される地域における公衆放送の放送時刻とが所定の条件を満たす場合、前記ユーザを前記影響ユーザと判定する
ことを特徴とする請求項１に記載の判定装置。
【請求項３】
前記判定部は、
前記所定の行動の対象と、前記公衆放送の放送内容とが所定の条件を満たす場合、前記ユーザを前記影響ユーザと判定する
ことを特徴とする請求項１または請求項２に記載の判定装置。
【請求項４】
前記判定部は、
前記所定の行動として所定のアプリケーションに関する行動が行われた時刻と、前記所定のアプリケーションに関連する公衆放送の放送時刻とが所定の条件を満たす場合、前記ユーザを前記公衆放送によって前記所定のアプリケーションに関する行動を行った前記影響ユーザと判定する
ことを特徴とする請求項１〜３のいずれか１項に記載の判定装置。
【請求項５】
前記判定部は、
前記所定のアプリケーションに関する行動を、前記所定のアプリケーションのインストールまたは前記所定のアプリケーションのダウンロードまたは前記所定のアプリケーションに関する情報の取得または前記所定のアプリケーションの起動として、前記ユーザが前記影響ユーザかどうかを判定する
ことを特徴とする請求項４に記載の判定装置。
【請求項６】
前記判定部は、
前記所定の行動として所定の商品または所定のサービスに関する行動が行われた時刻と、前記所定の商品または前記所定のサービスに関連する公衆放送の放送時刻とが所定の条件を満たす場合、前記ユーザを前記公衆放送の放送によって前記所定の商品または前記所定のサービスに関する行動を行った前記影響ユーザと判定する
ことを特徴とする請求項１〜３のいずれか１項に記載の判定装置。
【請求項７】
前記配信部は、
前記公衆放送の放送時刻に基づいて、前記端末装置に前記公衆放送における放送内容に関連する広告を配信する
ことを特徴とする請求項１〜６のいずれか１項に記載の判定装置。
【請求項８】
前記配信部は、
前記所定の行動に関連する公衆放送が開始された時刻から所定の期間内に、前記影響ユーザの端末装置に前記公衆放送における放送内容に関連する広告を配信する
ことを特徴とする請求項７に記載の判定装置。
【請求項９】
前記判定部は、
前記所定の行動が行われた時刻が、前記公衆放送が開始された時刻から所定の期間内である場合、前記ユーザを前記影響ユーザと判定する
ことを特徴とする請求項１〜８のいずれか１項に記載の判定装置。
【請求項１０】
前記判定部は、
前記所定の行動が行われた時刻と、前記公衆放送における放送内容であるコマーシャルメッセージの放送時刻とが所定の条件を満たす場合、前記端末装置を利用するユーザを前記コマーシャルメッセージによって前記所定の行動を行ったユーザである影響ユーザと判定する
ことを特徴とする請求項１〜９のいずれか１項に記載の判定装置。
【請求項１１】
コンピュータが実行する判定方法であって、
端末装置を利用するユーザに関する行動情報を取得する取得工程と、
前記取得工程により取得された前記行動情報により特定される所定の行動が行われた時刻と、所定の公衆放送の放送時刻とが所定の条件を満たす場合、前記端末装置を利用するユーザを前記所定の公衆放送によって前記所定の行動を行ったユーザである影響ユーザと判定する判定工程と、
前記判定工程により影響ユーザと判定されたユーザの端末装置に、前記所定の公衆放送の内容に基づいて変更された広告を配信する配信工程と、
を含むことを特徴とする判定方法。
【請求項１２】
端末装置を利用するユーザに関する行動情報を取得する取得手順と、
前記取得手順により取得された前記行動情報により特定される所定の行動が行われた時刻と、所定の公衆放送の放送時刻とが所定の条件を満たす場合、前記端末装置を利用するユーザを前記所定の公衆放送によって前記所定の行動を行ったユーザである影響ユーザと判定する判定手順と、
前記判定手順により影響ユーザと判定されたユーザの端末装置に、前記所定の公衆放送の内容に基づいて変更された広告を配信する配信手順と、
をコンピュータに実行させることを特徴とする判定プログラム。
【請求項１３】
ユーザが利用する端末装置であって、
前記ユーザに関する行動情報を取得する取得部と、
前記取得部により取得された前記行動情報により特定される所定の行動が行われた時刻と、所定の公衆放送の放送時刻とが所定の条件を満たす場合、前記ユーザを前記所定の公衆放送によって前記所定の行動を行ったユーザである影響ユーザと判定する判定部と、
前記判定部により前記ユーザが影響ユーザであると判定された場合に、前記所定の公衆放送の内容に基づいて変更された広告の配信要求を所定の配信装置に送信する送信部と、
を備えたことを特徴とする端末装置。
【請求項１４】
前記送信部は、
前記判定部により判定された前記ユーザが前記影響ユーザであることを示す情報に基づく広告の配信要求を所定の配信装置に送信する
ことを特徴とする請求項１３に記載の端末装置。
【請求項１５】
前記送信部は、
前記公衆放送の放送時刻に基づいて、前記公衆放送における放送内容に関連する広告の配信要求を送信する
ことを特徴とする請求項１３または請求項１４に記載の端末装置。
【請求項１６】
前記送信部は、
前記所定の行動に関連する公衆放送が開始された時刻から所定の期間内に、前記公衆放送における放送内容に関連する広告の配信要求を送信する
ことを特徴とする請求項１３〜１５のいずれか１項に記載の端末装置。
【請求項１７】
ユーザが利用する端末装置が実行する判定方法であって、
前記ユーザに関する行動情報を取得する取得工程と、
前記取得工程により取得された前記行動情報により特定される所定の行動が行われた時刻と、所定の公衆放送の放送時刻とが所定の条件を満たす場合、前記ユーザを前記所定の公衆放送によって前記所定の行動を行ったユーザである影響ユーザと判定する判定工程と、
前記判定工程により前記ユーザが影響ユーザであると判定された場合に、前記所定の公衆放送の内容に基づいて変更された広告の配信要求を所定の配信装置に送信する送信工程と、
を含むことを特徴とする判定方法。
【請求項１８】
ユーザが利用する端末装置が実行する判定プログラムであって、
前記ユーザに関する行動情報を取得する取得手順と、
前記取得手順により取得された前記行動情報により特定される所定の行動が行われた時刻と、所定の公衆放送の放送時刻とが所定の条件を満たす場合、前記ユーザを前記所定の公衆放送によって前記所定の行動を行ったユーザである影響ユーザと判定する判定手順と、
前記判定手順により前記ユーザが影響ユーザであると判定された場合に、前記所定の公衆放送の内容に基づいて変更された広告の配信要求を所定の配信装置に送信する送信手順と、
を端末装置に実行させることを特徴とする判定プログラム。
【発明の詳細な説明】
【技術分野】
【０００１】
本発明は、判定装置、端末装置、判定方法、及び判定プログラムに関する。
【背景技術】
【０００２】
従来、ユーザに提供した情報がユーザの行動に影響を与えたかを分析する技術が提供されている。例えば、広告配信データから広告効果を分析する技術が提供されている。
【先行技術文献】
【特許文献】
【０００３】
【特許文献１】特開２０１２−０８８９９４号公報
【発明の概要】
【発明が解決しようとする課題】
【０００４】
しかしながら、上記の従来技術ではユーザに提供した情報がユーザの行動に影響を与えたかを適切に判定することができるとは限らない。例えば、公衆放送がユーザの行動に影響を与えたか適切に判定することは難しい。
【０００５】
本願は、上記に鑑みてなされたものであって、ユーザに提供した情報がユーザの行動に影響を与えたかを適切に判定する判定装置、端末装置、判定方法、及び判定プログラムを提供することを目的とする。
【課題を解決するための手段】
【０００６】
本願に係る判定装置は、端末装置を利用するユーザに関する行動情報を取得する取得部と、前記取得部により取得された前記行動情報により特定される所定の行動が行われた時刻と、所定の公衆放送の放送時刻とが所定の条件を満たす場合、前記端末装置を利用するユーザを前記所定の公衆放送によって前記所定の行動を行ったユーザである影響ユーザと判定する判定部と、を備えたことを特徴とする。
【発明の効果】
【０００７】
実施形態の一態様によれば、ユーザに提供した情報がユーザの行動に影響を与えたかを適切に判定することができるという効果を奏する。
【図面の簡単な説明】
【０００８】
【図１】図１は、実施形態に係る判定処理の一例を示す図である。
【図２】図２は、実施形態に係る判定システムの構成例を示す図である。
【図３】図３は、実施形態に係る判定装置の構成例を示す図である。
【図４】図４は、実施形態に係る放送情報記憶部の一例を示す図である。
【図５】図５は、実施形態に係るユーザ情報記憶部の一例を示す図である。
【図６】図６は、実施形態に係る広告情報記憶部の一例を示す図である。
【図７】図７は、実施形態に係る端末装置の構成例を示す図である。
【図８】図８は、実施形態に係る影響ユーザの判定の一例を示すフローチャートである。
【図９】図９は、実施形態に係る影響ユーザへの広告配信の一例を示すフローチャートである。
【図１０】図１０は、変形例に係る判定処理の一例を示す図である。
【図１１】図１１は、変形例に係る判定処理の他の一例を示す図である。
【図１２】図１２は、変形例に係る端末装置の一例を示す図である。
【図１３】図１３は、変形例に係る放送情報記憶部の一例を示す図である。
【図１４】図１４は、変形例に係るユーザ情報記憶部の一例を示す図である。
【図１５】図１５は、判定装置の機能を実現するコンピュータの一例を示すハードウェア構成図である。
【発明を実施するための形態】
【０００９】
以下に、本願に係る判定装置、端末装置、判定方法、及び判定プログラムを実施するための形態（以下、「実施形態」と呼ぶ）について図面を参照しつつ詳細に説明する。なお、この実施形態により本願に係る判定装置、端末装置、判定方法、及び判定プログラムが限定されるものではない。また、以下の各実施形態において同一の部位には同一の符号を付し、重複する説明は省略される。
【００１０】
（実施形態）
〔１．判定処理〕
まず、図１を用いて、実施形態に係る判定処理の一例について説明する。図１は、実施形態に係る判定処理の一例を示す図である。図１に示す判定装置１００は、所定の行動が行われた時刻と、公衆放送の放送時刻とが所定の条件を満たす場合、端末装置１０を利用するユーザを公衆放送によって所定の行動を行ったユーザ（以下、「影響ユーザ」とする場合がある）と判定する。具体的には、判定装置１００は、所定のアプリケーション（以下、単に「アプリ」とする場合がある）に関する行動であるアプリＡのダウンロードが行われた時刻と、公衆放送におけるアプリＡのコマーシャルメッセージ（以下、「ＣＭ」とする場合がある）が放送された時刻とに基づいて、端末装置１０を利用するユーザＵ１が影響ユーザであるかを判定する。なお、図１に示す例では、判定装置１００は、ＣＭの放送内容を含む公衆放送の放送時刻に関する情報を予め取得しているものとして説明する。
【００１１】
また、判定装置１００は、公衆放送の放送時刻に基づいて、公衆放送における放送内容に関連する広告を、影響ユーザと判定されたユーザの端末装置１０に配信する。具体的には、判定装置１００は、公衆放送におけるアプリＡのＣＭの放送時刻に基づいて、影響ユーザであるユーザＵ１にアプリＡの広告を配信する。図１に示す例においては、公衆放送として所定の放送局によるテレビジョン放送を一例として示す。なお、ここでいう所定の放送局は、判定装置１００が放送時刻に関する情報を有している放送局であれば、どのような放送局であってもよい。また、公衆放送は、テレビジョン放送に限らず、公衆によって直接受信されることを目的として無線通信または有線電気通信の送信を行なうものであれば、ラジオ放送、音楽有線放送やケーブルテレビなどの有線方法、インターネットなどの双方向性送信による自動公衆送信などであってもよい。
【００１２】
図１に示す例においては、時刻ｔ１１において所定の放送局によりアプリＡのＣＭが放送される（ステップＳ１１）。図１に示すように、所定のテレビ放送受信機ＴＶ（以下、単に「テレビＴＶ」とする場合がある）には、アプリＡのＣＭであるコンテンツＴＣ１１が表示される。なお、図１に示すアプリＡのＣＭが放送された時刻ｔ１１は、ステップＳ１１におけるアプリＡのＣＭの開始時刻やアプリＡのＣＭの終了時刻、アプリＡのＣＭの開始時刻と終了時刻との中間の時刻など、ステップＳ１１においてアプリＡのＣＭが放送されている時間内であれば、目的に応じて種々の時刻が選択されてもよい。図１に示す例においては、ステップＳ１１におけるアプリＡのＣＭの開始時刻を時刻ｔ１１とする。以下では、ステップＳ１１の時点におけるユーザＵ１の位置がアプリＡのＣＭであるコンテンツＴＣ１１を放送する放送局の放送エリアに対応し、ユーザＵ１がコンテンツＴＣ１１が表示されたテレビＴＶを見た場合を例に説明する。
【００１３】
図１に示す例においては、時刻ｔ１１においてアプリＡのＣＭが放送された後、ユーザＵ１は、時刻ｔ１２において端末装置１０にアプリＡのダウンロードを行う（ステップＳ１２）。例えば、ユーザＵ１は、時刻ｔ１２において端末装置１０にアプリＡのダウンロードを開始する。また、アプリＡのＣＭが放送された時刻ｔ１１と、ユーザＵ１がアプリＡのダウンロードを行った時刻ｔ１２との時間差をｔｄ１（＝ｔ１２−ｔ１１）とする。
【００１４】
時刻ｔ１２においてアプリＡのダウンロードが行われた後、端末装置１０は、ユーザＵ１に関する行動情報を判定装置１００へ送信する（ステップＳ１３）。例えば、端末装置１０は、ユーザＵ１がアプリＡのダウンロードを行ったことを示す情報や、アプリＡのダウンロードを行った時刻を示す情報を判定装置１００へ送信する。また、端末装置１０は、ユーザＵ１の位置情報を判定装置１００へ送信する。
【００１５】
端末装置１０からユーザＵ１の行動情報を取得した判定装置１００は、取得したユーザＵ１の行動情報と、公衆放送の放送時刻に関する情報とに基づいて、影響ユーザの判定を行う（ステップＳ１４）。具体的には、判定装置１００は、取得したユーザＵ１の位置情報に対応する放送局を特定する。そして、判定装置１００は、ユーザＵ１の現在位置（地域）に対応する放送局によりアプリＡのＣＭが放送された時刻ｔ１１と、ユーザＵ１がアプリＡのダウンロードを行った時刻ｔ１２との時間差ｔｄ１に基づいて、ユーザＵ１が影響ユーザであるかどうかを判定する。例えば、判定装置１００は、時間差ｔｄ１が所定の閾値以内であれば、ユーザＵ１を時刻ｔ１１において放送されたアプリＡのＣＭに影響を受けた影響ユーザであると判定する。図１に示す例では、判定装置１００は、ユーザＵ１をステップＳ１１において放送されたアプリＡのＣＭに影響を受けた影響ユーザであると判定する。例えば、判定装置１００は、ユーザＵ１をアプリＡに関する影響ユーザであると判定する。
【００１６】
図１に示す例においては、ステップＳ１４において影響ユーザの判定が行われてから所定の期間が経過した時刻ｔ１３において所定の放送局によりアプリＡのＣＭが放送される（ステップＳ１５）。図１に示すように、テレビＴＶには、アプリＡのＣＭであるコンテンツＴＣ１２が表示される。なお、ステップＳ１１において放送されるコンテンツＴＣ１１とステップＳ１５において放送されるコンテンツＴＣ１２とは、アプリＡに関するコンテンツであれば、同じコンテンツであってもよいし、異なるコンテンツであってもよい。また、ステップＳ１１におけるテレビＴＶとステップＳ１５におけるテレビＴＶは、同じテレビ放送受信機であってもよいし、異なるテレビ放送受信機であってもよい。また、ステップＳ１１においてコンテンツＴＣ１１を放送する放送局とステップＳ１５においてコンテンツＴＣ１２を放送する放送局とは、同じ放送局であってもよいし、異なる放送局であってもよい。
【００１７】
ここで、判定装置１００は、ステップＳ１４においてユーザＵ１をアプリＡのＣＭに影響を受けた影響ユーザであると判定している。また、判定装置１００は、時刻ｔ１３において所定の放送局によりアプリＡのＣＭが放送されることを示す公衆放送の放送時刻に関する情報を有する。そこで、判定装置１００は、時刻ｔ１３においてアプリＡのＣＭが放送されるタイミングに合わせて、ユーザＵ１の利用する端末装置１０にアプリＡの広告ＡＣ１を配信する（ステップＳ１６）。例えば、判定装置１００は、時刻ｔ１３においてアプリＡのＣＭが放送されるタイミングに合わせて、アプリＡのキャンペーンに関する広告など、アプリＡの利用を促す広告を端末装置１０に配信する。例えば、判定装置１００は、ステップＳ１５の時点におけるユーザＵ１の位置がアプリＡのＣＭであるコンテンツＴＣ１２を放送する放送局の放送エリアに対応する場合、端末装置１０にアプリＡの広告ＡＣ１を配信する。
【００１８】
判定装置１００からアプリＡの広告ＡＣ１を受信した端末装置１０は、受信したアプリＡの広告ＡＣ１を、例えば時刻ｔ１４等の所定のタイミングで表示する（ステップＳ１７）。例えば、端末装置１０は、アプリＡ以外のアプリを起動した際に、受信したアプリＡの広告ＡＣ１を表示してもよい。また、例えば、端末装置１０は、ステップＳ１６においてアプリＡの広告ＡＣ１を受信した際に、広告ＡＣ１を表示、すなわち広告ＡＣ１をプッシュ通知してもよい。
【００１９】
このように、図１に示す例において、判定装置１００は、アプリＡのダウンロードが行われた時刻と、所定の放送局によってアプリＡのＣＭが放送された時刻とに基づいて、端末装置１０を利用するユーザＵ１が影響ユーザであるかを判定する。これにより、判定装置１００は、ユーザに提供した情報がユーザの行動に影響を与えたかを適切に判定することができる。したがって、判定装置１００は、公衆放送がユーザの行動に与える影響を適切に測定することができる。
【００２０】
また、判定装置１００は、ユーザＵ１をアプリＡのＣＭに影響を受けた影響ユーザであると判定した情報と、アプリＡのＣＭが放送される放送時刻に関する情報とに基づいて、所定のタイミングでアプリＡに関する広告を端末装置１０に配信する。これにより、判定装置１００は、適切なタイミングで広告を配信することができる。なお、判定装置１００は、ユーザＵ１をアプリＡに関する影響ユーザであると判定した場合、アプリＡに類似するアプリであるアプリＢのＣＭが放送される放送時刻に関する情報とに基づいて、所定のタイミングでアプリＢに関する広告を端末装置１０に配信してもよい。このように、判定装置１００は、影響ユーザと判定された行動に関する商品に類似する商品に関する情報を、類似する商品に関する公衆放送が放送されるタイミングに合わせてその影響ユーザに配信してもよい。なお、判定装置１００は、ユーザＵ１をアプリＡに関する影響ユーザであると判定した場合、ユーザＵ１はカテゴリ「アプリ」に関する影響ユーザであると判定してもよい。このように、判定装置１００は、カテゴリに関する影響ユーザとして判定してもよい。そして、判定装置１００は、影響ユーザであると判定されたカテゴリに関する情報を、カテゴリに関する公衆放送が放送されるタイミングに合わせてその影響ユーザに配信してもよい。
【００２１】
なお、図１に示す例においては、判定装置１００は、アプリＡのダウンロードの有無に基づいて、影響ユーザの判定を行ったが、アプリＡのインストールの有無またはアプリＡに関する情報の取得の有無またはアプリＡの起動の有無に基づいて、影響ユーザの判定を行ってもよい。例えば、判定装置１００がアプリＡの起動の有無に基づいて影響ユーザの判定を行う場合、ユーザがアプリＡを久しく使っていなかったが広告を見て再度使い始めた場合に、ユーザをアプリＡに関する影響ユーザと判定することができる。例えば、判定装置１００は、アプリＡに関する情報の取得として、ユーザＵ１がアプリＡに関する検索を行ったか、アプリＡに関するウェブサイトを閲覧したかに関する情報に基づいて、影響ユーザの判定を行ってもよい。また、図１に示す例においては、判定装置１００が広告配信を行う例を示したが、影響ユーザの判定と広告の配信は別装置が行ってもよい。例えば、判定装置１００が影響ユーザの判定までを行い、配信装置が判定装置１００から取得した影響ユーザに関する情報に基づいて、広告の配信を行ってもよい。また、端末装置１０は、例えば１時間等など所定の間隔でユーザＵ１の位置情報を判定装置１００へ送信してもよい。
【００２２】
〔２．判定システムの構成〕
図２に示すように、判定システム１は、端末装置１０と、判定装置１００と、提供元装置２００とが含まれる。端末装置１０と、判定装置１００と、提供元装置２００とは所定のネットワークＮを介して、有線または無線により通信可能に接続される。なお、図２に示した判定システム１には、複数台の端末装置１０や、複数台の判定装置１００や、複数台の提供元装置２００が含まれてもよい。
【００２３】
端末装置１０は、ユーザによって利用される情報処理装置である。端末装置１０は、ユーザによる操作に従って、アプリケーション（以下、「アプリ」と称する場合がある）を起動する。なお、以下では、端末装置１０をユーザと表記する場合がある。すなわち、以下では、ユーザを端末装置１０と読み替えることもできる。なお、上述した端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。
【００２４】
判定装置１００は、公衆放送の放送時刻に関する情報と、端末装置１０から取得した行動情報とに基づいて、影響ユーザの判定を行う情報処理装置である。また、判定装置１００は、公衆放送の放送時刻に関する情報と、影響ユーザの判定に関する情報とに基づいて、端末装置１０に所定のタイミングで広告を配信する。
【００２５】
提供元装置２００は、端末装置１０からの要求に基づいてコンテンツを提供する情報処理装置である。例えば、提供元装置２００は、端末装置１０からの要求に基づいてアプリＡのデータを端末装置１０へ供給する。すなわち、端末装置１０は、提供元装置２００からアプリＡをダウンロードする。
【００２６】
〔３．判定装置の構成〕
次に、図３を用いて、実施形態に係る判定装置１００の構成について説明する。図３は、実施形態に係る判定装置１００の構成例を示す図である。図３に示すように、判定装置１００は、通信部１１０と、記憶部１２０と、制御部１３０とを有する。なお、判定装置１００は、判定装置１００の管理者等から各種操作を受け付ける入力部（例えば、キーボードやマウス等）や、各種情報を表示するための表示部（例えば、液晶ディスプレイ等）を有してもよい。
【００２７】
通信部１１０は、例えば、ＮＩＣ（Network  Interface  Card）等によって実現される。そして、通信部１１０は、ネットワークと有線または無線で接続され、端末装置１０との間で情報の送受信を行う。
【００２８】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図３に示すように、放送情報記憶部１２１と、ユーザ情報記憶部１２２と、広告情報記憶部１２３とを有する。
【００２９】
（放送情報記憶部１２１）
実施形態に係る放送情報記憶部１２１は、公衆放送に関する情報を記憶する。図４には、放送情報記憶部１２１に記憶される公衆放送に関する情報の一例を示す。図４に示すように、放送情報記憶部１２１は、公衆放送に関する情報として、「放送時間」、「放送局」といった項目が含まれる。
【００３０】
「放送時間」は、公衆放送に関する放送時間を示す。例えば、「放送時間」は、各時間の開始時刻や終了時刻を示す。また、「放送局」には、「局Ａ」、「局Ｂ」、「局Ｃ」などが含まれ、局ごとに放送時間に対応する公衆放送に関する情報が記憶される。具体的には、「放送局」は、「局Ａ」、「局Ｂ」、「局Ｃ」など各局が放送する番組やＣＭ等のコンテンツの内容（以下、「放送内容」とする場合がある）に関する情報を示す。
【００３１】
例えば、放送時間「時間Ａ」における放送局「局Ａ」の公衆放送の放送内容は、コンテンツＡ１であることを示す。つまり、放送時間「時間Ａ」において、放送局「局Ａ」は、番組「コンテンツＡ１」を放送することを示す。また、図４に示す例において、「放送局」には、コンテンツに関連する商品の情報も記憶される。つまり、放送時間「時間Ａ」において放送局「局Ａ」が放送する番組「コンテンツＡ１」には、商品「スーツＡ」に関する情報が含まれることを示す。例えば、放送時間「時間Ａ」において放送局「局Ａ」が放送する番組「コンテンツＡ１」において、商品「スーツＡ」に関する情報が放送されることを示す。
【００３２】
例えば、放送時間「時間Ｂ」における放送局「局Ｂ」の公衆放送の放送内容は、腕時計Ａの広告であることを示す。つまり、放送時間「時間Ｂ」において、放送局「局Ｂ」は、腕時計Ａに関するＣＭを放送することを示す。また、例えば、放送時間「時間Ｃ」における放送局「局Ｃ」の公衆放送の放送内容は、アプリＣの広告であることを示す。つまり、放送時間「時間Ｃ」において、放送局「局Ｃ」は、アプリＣに関するＣＭを放送することを示す。
【００３３】
なお、放送情報記憶部１２１は、上記は公衆放送に関する情報の一例であって、公衆放送に関する情報であれば目的に応じて種々の情報を記憶してもよい。例えば、放送情報記憶部１２１は、出演者に関する情報などを記憶してもよい。
【００３４】
（ユーザ情報記憶部１２２）
実施形態に係るユーザ情報記憶部１２２は、ユーザに関する情報を記憶する。図５には、ユーザ情報記憶部１２２に記憶されるユーザに関する情報の一例を示す。図５に示すように、ユーザ情報記憶部１２２は、ユーザに関する情報として、「ユーザＩＤ」、「現在位置」、「商品名」、「時刻」、「行動」、「配信」といった項目が含まれる。
【００３５】
「ユーザＩＤ」は、ユーザを識別するための識別情報を示す。例えば、ユーザＩＤ「Ｕ１」により識別されるユーザ（以下、ユーザＵ１と記載する場合がある）は、図１の例に示したユーザに対応する。「現在位置」は、ユーザの現在位置を示す。例えば、「現在位置」は、端末装置１０から取得する行動情報に含まれる位置情報により特定される位置であってもよい。また、例えば、「現在位置」は、ユーザが利用する端末装置１０から最後に取得した位置情報により特定される位置であってもよい。
【００３６】
「商品名」は、対応するユーザが影響ユーザであると判定された商品やサービス等の名称を示す。「時刻」は、対応する商品名に関するユーザの行動情報が取得された時刻を示す。「行動」は、対応する商品名に関するユーザの行動情報に含まれるユーザが行った行動を示す。「配信」は、対応する商品名に関する広告の配信可否を示す。
【００３７】
例えば、図５に示す例において、ユーザＵ１は、商品名「アプリＡ」に関する影響ユーザであることを示す。また、ユーザＵ１は、商品名「アプリＡ」に関するユーザの行動情報が取得された時刻が時刻ｔ１２であることを示す。また、ユーザＵ１は、商品名「アプリＡ」に関するユーザの行動情報に含まれる行動が「ダウンロード」であることを示す。また、ユーザＵ１は、商品名「アプリＡ」に関する広告を配信してもよいことを示す。図５に示す例において、ユーザＵ１は、商品名「アプリＡ」、「ホテルＡ」、「腕時計Ａ」に関する影響ユーザであることを示す。なお、図５に示す例において、ユーザＵ２は、いずれの商品に関しても影響ユーザではないことを示す。
【００３８】
なお、ユーザ情報記憶部１２２は、上記に限らず、目的に応じて種々の情報を記憶してもよい。例えば、ユーザ情報記憶部１２２は、商品名「アプリＡ」に関する広告の配信期間に関する情報を記憶してもよい。
【００３９】
（広告情報記憶部１２３）
実施形態に係る広告情報記憶部１２３は、広告に関する各種情報を記憶する。図６に、実施形態に係る広告情報記憶部１２３の一例を示す。図６に示す広告情報記憶部１２３は、「広告ＩＤ」、「商品名」、「広告コンテンツ」、「広告主ＩＤ」といった項目を有する。
【００４０】
「広告ＩＤ」は、広告を識別するための識別情報を示す。「商品名」は、広告の対象となる商品や役務等の名称を示す。図６に示す例において、広告ＩＤ「Ａ１」の広告は、商品名「アプリＡ」の広告であることを示す。なお、各商品を識別する情報としては「商品名」に限らず、商品を識別するための「商品ＩＤ」等の情報を記憶してもよい。
【００４１】
「広告コンテンツ」は、広告主から入稿された広告コンテンツ（単に「広告」と記載する場合がある）を示す。図６では「広告コンテンツ」に「ＡＣ１」といった概念的な情報が格納される例を示したが、実際には、静止画像や動画像やテキストデータやＵＲＬ、または、これらの格納場所を示すファイルパス名などが格納される。「広告主ＩＤ」は、広告主を識別するための識別情報を示す。図６に示す例において、広告ＩＤ「Ａ１」の広告の広告主は、広告主ＩＤ「ＡＰ１」により識別される広告主である。なお、広告主は、入稿作業等を代理店に依頼する場合もある。以下では、「広告主」といった表記は、広告主だけでなく代理店を含む概念であるものとする。
【００４２】
なお、広告情報記憶部１２３は、上記に限らず、目的に応じて種々の情報を記憶してもよい。例えば、広告情報記憶部１２３は、広告の表示に要する費用や広告による収益の予測等に関する情報を記憶してもよい。広告情報記憶部１２３は、入札価格に関する情報や、広告の１０００回表示あたりの収益額を示す、いわゆるｅＣＰＭ（effective  Cost  Per  Mille）等の情報を記憶してもよい。
【００４３】
（制御部１３０）
図３の説明に戻って、制御部１３０は、例えば、ＣＰＵ（Central  Processing  Unit）やＭＰＵ（Micro  Processing  Unit）等によって、判定装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００４４】
図３に示すように、制御部１３０は、取得部１３１と、判定部１３２と、配信部１３３とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００４５】
（取得部１３１）
取得部１３１は、端末装置１０を利用するユーザに関する行動情報を取得する。例えば、取得部１３１は、行動情報として、ユーザＵ１がアプリＡのダウンロードを行ったことを示す情報や、アプリＡのダウンロードを行った時刻を示す情報を端末装置１０から取得する。また、取得部１３１は、端末装置１０から位置情報を取得する。例えば、取得部１３１は、所定の間隔でユーザＵ１の位置情報を端末装置１０から取得する。また、取得部１３１は、外部の情報処理装置から端末装置１０を利用するユーザに関する行動情報を取得してもよい。例えば、取得部１３１は、ユーザＵ１がアプリＡのダウンロードを行った提供元装置２００から、ユーザＵ１がアプリＡのダウンロードを行ったことを示す行動情報を取得する。また、取得部１３１は、公衆放送に関する情報を外部の情報処理装置から取得してもよい。また、取得部１３１は、公衆放送に関する情報を外部の情報処理装置から取得した場合、放送情報記憶部１２１に記憶する。
【００４６】
また、取得部１３１は、端末装置１０からアプリの利用履歴に関する情報を受け付けてもよい。例えば、取得部１３１は、端末装置１０からアプリに含まれる所定のＳＤＫ（Software  Development  Kit）により収集されるアプリの利用履歴に関する情報を取得してもよい。例えば、取得部１３１は、端末装置１０においてアプリが起動された場合、起動されたアプリに含まれる所定のＳＤＫからアプリが起動されたことを示す情報を取得する。
【００４７】
（判定部１３２）
判定部１３２は、取得部１３１により取得された行動情報により特定される所定の行動が行われた時刻と、所定の公衆放送の放送時刻とが所定の条件を満たす場合、端末装置１０を利用するユーザを所定の公衆放送によって所定の行動を行ったユーザである影響ユーザと判定する。例えば、判定部１３２は、所定の行動が行われた時刻と、端末装置１０から取得した位置情報により特定される地域における公衆放送の放送時刻とが所定の条件を満たす場合、ユーザを影響ユーザと判定する。
【００４８】
判定部１３２は、所定の行動の対象と、公衆放送の放送内容とが所定の条件を満たす場合、ユーザを影響ユーザと判定する。例えば、判定部１３２は、所定の行動の対象が、公衆放送の放送内容に関連する場合、所定の条件を満たすと判定する。図１に示す例において、所定の行動がアプリＡのダウンロードであり、公衆放送の放送内容がアプリＡのＣＭであるため、判定部１３２は、所定の行動の対象がアプリであり、公衆放送の放送内容のアプリＡと関連するため、所定の条件を満たすと判定する。
【００４９】
また、図１に示す例において、判定部１３２は、取得部１３１により取得されたユーザの行動情報と、公衆放送の放送時刻に関する情報とに基づいて、影響ユーザの判定を行う。例えば、判定部１３２は、取得したユーザＵ１の位置情報に対応する放送局を特定する。そして、判定部１３２は、ユーザＵ１の現在位置（地域）に対応する放送局によりアプリＡのＣＭが放送された時刻ｔ１１と、ユーザＵ１がアプリＡのダウンロードを行った時刻ｔ１２との時間差ｔｄ１に基づいて、ユーザＵ１が影響ユーザであるかどうかを判定する。例えば、判定部１３２は、時間差ｔｄ１が所定の閾値以内であれば、ユーザＵ１を時刻ｔ１１において放送されたアプリＡのＣＭに影響を受けた影響ユーザであると判定する。
【００５０】
（配信部１３３）
配信部１３３は、公衆放送の放送時刻に基づいて、端末装置１０に公衆放送における放送内容に関連する広告を配信する。配信部１３３は、所定の行動に関連する公衆放送が開始された時刻から所定の期間内に、影響ユーザの端末装置１０に公衆放送における放送内容に関連する広告を配信する。図１に示す例において、配信部１３３は、公衆放送におけるアプリＡのＣＭの放送時刻に基づいて、影響ユーザであるユーザＵ１にアプリＡの広告を配信する。図１に示す例において、配信部１３３は、ユーザＵ１をアプリＡのＣＭに影響を受けた影響ユーザであると判定した情報と、アプリＡのＣＭが放送される放送時刻に関する情報とに基づいて、所定のタイミングでアプリＡに関する広告を端末装置１０に配信する。
【００５１】
〔４．端末装置の構成〕
次に、図７を用いて、実施形態に係る端末装置１０の構成について説明する。図７は、実施形態に係る端末装置１０の構成例を示す図である。図７に示すように、端末装置１０は、通信部１１と、記憶部１２と、入力部１３と、出力部１４と、制御部１５とを有する。
【００５２】
（通信部１１）
通信部１１は、例えば、通信回路等によって実現される。そして、通信部１１は、図示しない所定のネットワークと有線または無線で接続され、判定装置１００や提供元装置２００との間で情報の送受信を行う。
【００５３】
（記憶部１２）
記憶部１２は、例えば、ＲＡＭ、フラッシュメモリ等の半導体メモリ素子、または、ハードディスク、光ディスク等の記憶装置によって実現される。記憶部１２は、例えば、端末装置１０にインストールされているアプリケーションに関する情報、例えばプログラム等を記憶する。
【００５４】
（入力部１３）
入力部１３は、ユーザからの各種操作を受け付ける。例えば、入力部１３は、タッチパネル機能により表示面を介してユーザからの各種操作を受け付けてもよい。また、入力部１３は、端末装置１０に設けられたボタンや、端末装置１０に接続されたキーボードやマウスからの各種操作を受け付けてもよい。
【００５５】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。
【００５６】
（制御部１５）
制御部１５は、例えば、ＣＰＵやＭＰＵ等によって、端末装置１０内部の記憶部１２などの記憶装置に記憶されている各種プログラムがＲＡＭを作業領域として実行されることにより実現される。例えば、この各種プログラムは、インストールされているアプリケーションのプログラムが含まれる。また、制御部１５は、例えば、ＡＳＩＣやＦＰＧＡ等の集積回路により実現される。
【００５７】
図７に示すように、制御部１５は、送信部１５１と、受信部１５２と、表示部１５３とを有し、以下に説明する判定処理の機能や作用を実現または実行する。なお、制御部１５の内部構成は、図７に示した構成に限られず、後述する判定処理を行う構成であれば他の構成であってもよい。また、制御部１５が有する各処理部の接続関係は、図７に示した接続関係に限られず、他の接続関係であってもよい。
【００５８】
送信部１５１は、ユーザに関する行動情報を判定装置１００へ送信する。例えば、図１に示す例において、送信部１５１は、ユーザＵ１がアプリＡのダウンロードを行ったことを示す情報や、アプリＡのダウンロードを行った時刻を示す情報を判定装置１００へ送信する。
【００５９】
受信部１５２は、判定装置１００から配信された広告を受信する。また、受信部１５２は、広告を受信した場合、受信した広告を記憶部１２に格納してもよい。また、受信部１５２は、提供元装置２００からアプリＡのデータを受信する。また、受信部１５２は、他の提供元装置２００から種々の情報を受信してもよい。
【００６０】
表示部１５３は、判定装置１００から配信された広告を表示する。例えば、図１に示す例において、表示部１５３は、受信部１５２により受信されたアプリＡの広告ＡＣ１を、所定のタイミングで表示する。例えば、表示部１５３は、アプリＡ以外のアプリを起動した際に、受信部１５２により受信されたアプリＡの広告ＡＣ１を表示してもよい。また、例えば、表示部１５３は、受信部１５２によりアプリＡの広告ＡＣ１が受信された際に、広告ＡＣ１を表示、すなわち広告ＡＣ１をプッシュ通知してもよい。
【００６１】
なお、上述した制御部１５による選択処理等の処理は、例えば、ＪａｖａＳｃｒｉｐｔ（登録商標）などにより実現されてもよい。また、上述した広告の表示に関する処理が専用アプリにより行われる場合、制御部１５は、例えば、所定のアプリや専用アプリを制御するアプリ制御部を有してもよい。
【００６２】
〔５．判定処理のフロー〕
次に、図８を用いて、実施形態に係る判定システム１による判定処理に含まれる影響ユーザの判定の手順について説明する。図８は、実施形態に係る影響ユーザの判定の一例を示すフローチャートである。
【００６３】
図８に示すように、判定装置１００の取得部１３１は、公衆放送の放送情報を取得する（ステップＳ１０１）。例えば、取得部１３１は、外部の情報処理装置から公衆放送の放送情報を取得する。なお、取得部１３１は、予め公衆放送の放送情報を有する場合、ステップＳ１０１を行わなくてもよい。また、取得部１３１は、ユーザの行動情報を取得する（ステップＳ１０２）。例えば、取得部１３１は、端末装置１０からユーザの行動情報を取得する。なお、取得部１３１は、ステップＳ１０２において取得した行動情報にユーザの位置情報が含まれず、端末装置１０を利用するユーザの現在位置を特定できない場合、端末装置１０からユーザの位置情報を取得してもよい。
【００６４】
その後、判定装置１００の判定部１３２は、ステップＳ１０２において取得した行動情報と公衆放送の放送内容が所定の条件を満たすかどうかを判定する（ステップＳ１０３）。例えば、判定部１３２は、ユーザの現在位置により特定される地域における公衆放送の放送内容と、ユーザの行動情報とが、所定の条件を満たすかどうかを判定する。ここで、判定部１３２は、取得した行動情報と公衆放送の放送内容が所定の条件を満たさない場合（ステップＳ１０３：Ｎｏ）、影響ユーザの判定を終了する。一方、例えば、図１に示す例において、判定部１３２は、時刻ｔ１１において放送されたＣＭの内容がアプリＡであり、時刻ｔ１２においてユーザＵ１が端末装置１０にダウンロードしたアプリがアプリＡであるため、所定の条件を満たすと判定する。
【００６５】
判定部１３２は、ユーザの現在位置により特定される地域における公衆放送の放送内容とユーザの行動情報とが所定の条件を満たす場合（ステップＳ１０３：Ｙｅｓ）、行動情報の時刻と公衆放送の時刻が所定の時間差以内であるかどうかを判定する（ステップＳ１０４）。ここで、判定部１３２は、行動情報の時刻と公衆放送の時刻が所定の時間差以内でない場合（ステップＳ１０４：Ｎｏ）、影響ユーザの判定を終了する。一方、例えば、図１に示す例において、判定部１３２は、アプリＡのＣＭが放送された時刻ｔ１１と、ユーザＵ１が端末装置１０にアプリＡをダウンロードした時刻ｔ１２との時間差ｔｄ１が所定の時間差以内であると判定する。
【００６６】
判定部１３２は、行動情報の時刻と公衆放送の時刻が所定の時間差以内である場合（ステップＳ１０４：Ｙｅｓ）、ユーザを影響ユーザと判定する（ステップＳ１０５）。例えば、図１に示す例において、判定部１３２は、アプリＡのＣＭが放送された、時刻ｔ１１と、ユーザＵ１がアプリＡをダウンロードした時刻ｔ１２との時間差ｔｄ１が所定の時間差以内であるため、ユーザＵ１を影響ユーザと判定する。例えば、判定部１３２は、アプリＡに関する影響ユーザであると判定する。
【００６７】
次に、図９を用いて、実施形態に係る判定システム１による判定処理に含まれる影響ユーザへの広告配信の手順について説明する。図９は、実施形態に係る影響ユーザへの広告配信の一例を示すフローチャートである。
【００６８】
図９に示すように、判定装置１００の取得部１３１は、公衆放送の放送情報を取得する（ステップＳ２０１）。例えば、取得部１３１は、外部の情報処理装置から公衆放送の放送情報を取得する。なお、取得部１３１は、予め公衆放送の放送情報を有する場合、ステップＳ２０１を行わなくてもよい。また、取得部１３１は、ユーザの位置情報を取得する（ステップＳ２０２）。例えば、取得部１３１は、端末装置１０からユーザの位置情報を取得する。なお、取得部１３１は、予め有するユーザの位置情報により端末装置１０を利用するユーザの現在位置を特定できる場合、ステップＳ２０２を行わなくてもよい。
【００６９】
その後、判定装置１００の判定部１３２は、放送内容に関連する影響ユーザかどうかを判定する（ステップＳ２０３）。例えば、判定部１３２は、現在位置を特定したユーザが現在位置により特定される地域における公衆放送の放送内容に関する影響ユーザかどうかを判定する。ここで、判定部１３２は、現在位置を特定したユーザが現在位置により特定される地域における公衆放送の放送内容に関する影響ユーザでない場合（ステップＳ２０３：Ｎｏ）、影響ユーザへの広告配信を終了する。一方、例えば、図１に示す例において、判定部１３２は、現在位置を特定したユーザＵ１を、現在位置により特定される地域における公衆放送の放送内容、すなわち時刻ｔ１３において放送されたＣＭの内容であるアプリＡに関する影響ユーザであると判定する。
【００７０】
判定部１３２は、ユーザが放送内容に関連する影響ユーザである場合（ステップＳ２０３：Ｙｅｓ）、当該影響ユーザに配信可能かを判定する（ステップＳ２０４）。ここで、判定部１３２は、当該影響ユーザに配信可能でない場合（ステップＳ２０４：Ｎｏ）、影響ユーザへの広告配信を終了する。一方、例えば、図１に示す例において、判定部１３２は、ユーザＵ１が放送内容であるアプリＡに関連する影響ユーザであり、当該影響ユーザにはアプリＡの広告が配信可能であると判定する。
【００７１】
判定装置１００の配信部１３３は、影響ユーザには広告が配信可能である場合（ステップＳ２０４：Ｙｅｓ）、所定のタイミングで影響ユーザに放送内容に関連する広告を配信する（ステップＳ２０５）。例えば、図１に示す例において、配信部１３３は、アプリＡに関する影響ユーザであるユーザＵ１の端末装置１０に所定のタイミングでアプリＡに関する広告を配信する。
【００７２】
〔６．変形例〕
上述した実施形態に係る判定システム１は、上記実施形態以外にも種々の異なる形態にて実施されてよい。そこで、以下では、判定システム１の他の実施形態について説明する。
【００７３】
〔６−１．公衆放送の放送内容〕
上述した例においては公衆放送の放送内容がＣＭであり、商品がアプリである場合について説明したが、公衆放送の内容がＣＭ以外であってもよいし、商品はアプリ以外であってもよい。この点について、図１０を用いて説明する。図１０は、変形例に係る判定処理の一例を示す図である。なお、実施形態と同一部分には、同一符号を付して説明を省略する。
【００７４】
図１０に示す判定装置１００は、所定の商品または所定のサービスに関する行動が行われた時刻と、公衆放送の放送時刻とが所定の条件を満たす場合、端末装置１０を利用するユーザを影響ユーザと判定する。具体的には、判定装置１００は、所定の商品である腕時計Ａに関する行動である腕時計Ａの検索が行われた時刻と、公衆放送における腕時計Ａに関する情報を含むコンテンツ（図１０においては通販番組）が放送された時刻とに基づいて、端末装置１０を利用するユーザＵ１が影響ユーザであるかを判定する。なお、図１０に示す例では、判定装置１００は、腕時計Ａの通販番組の放送内容を含む公衆放送の放送時刻に関する情報を予め取得しているものとして説明する。
【００７５】
また、判定装置１００は、公衆放送の放送時刻に基づいて、公衆放送における放送内容に関連する広告を、影響ユーザと判定されたユーザの端末装置１０に配信する。具体的には、判定装置１００は、公衆放送における腕時計ＡのＣＭの放送時刻に基づいて、影響ユーザであるユーザＵ１に腕時計Ａの広告を配信する。図１０に示す例においては、公衆放送として所定の放送局によるテレビジョン放送を一例として示す。
【００７６】
図１０に示す例においては、時刻ｔ２１において所定の放送局により腕時計Ａの通販番組が放送される（ステップＳ２１）。図１０に示すように、テレビＴＶには、腕時計Ａの通販番組であるコンテンツＴＣ２１が表示される。なお、図１０に示す腕時計Ａの通販番組が放送された時刻ｔ２１は、ステップＳ２１における腕時計Ａの通販番組の開始時刻や腕時計Ａの通販番組の終了時刻、腕時計Ａの通販番組の開始時刻と終了時刻との中間の時刻などでもよい。また、図１０に示す腕時計Ａの通販番組が放送された時刻ｔ２１は、ステップＳ２１において放送される通販番組中の腕時計Ａに関する放送が開始される時刻など、腕時計Ａに関する情報が放送されている時間内であれば、目的に応じて種々の時刻が選択されてもよい。図１０に示す例においては、放送される通販番組中の腕時計Ａに関する放送が開始される時刻を時刻ｔ２１とする。以下では、ユーザＵ１は、ステップＳ２１の時点における位置が腕時計Ａの通販番組であるコンテンツＴＣ２１を放送する放送局の放送エリアに対応し、コンテンツＴＣ２１が表示されたテレビＴＶを見た場合を例に説明する。
【００７７】
図１０に示す例においては、時刻ｔ２１において腕時計Ａの通販番組が放送された後、ユーザＵ１は、時刻ｔ２２において腕時計Ａに関する検索を行う（ステップＳ２２）。例えば、ユーザＵ１は、時刻ｔ２２において端末装置１０を操作して所定のブラウザを起動し、腕時計Ａに関する検索を行う。また、腕時計Ａの通販番組が放送された時刻ｔ２１と、ユーザＵ１が腕時計Ａの検索を行った時刻ｔ２２との時間差をｔｄ２（＝ｔ２２−ｔ２１）とする。
【００７８】
時刻ｔ２２においてユーザＵ１が腕時計Ａの検索を行った後、端末装置１０は、ユーザＵ１に関する行動情報を判定装置１００へ送信する（ステップＳ２３）。例えば、端末装置１０は、ユーザＵ１が腕時計Ａの検索を行ったことを示す情報や、腕時計Ａの検索を行った時刻を示す情報を判定装置１００へ送信する。また、端末装置１０は、ユーザＵ１の位置情報を判定装置１００へ送信する。なお、端末装置１０は、例えば１時間等など所定の間隔でユーザＵ１の位置情報を判定装置１００へ送信してもよい。
【００７９】
端末装置１０からユーザＵ１の行動情報を取得した判定装置１００は、取得したユーザＵ１の行動情報と、公衆放送の放送時刻に関する情報とに基づいて、影響ユーザの判定を行う（ステップＳ２４）。具体的には、判定装置１００は、取得したユーザＵ１の位置情報に対応する放送局を特定する。そして、判定装置１００は、ユーザＵ１の現在位置に対応する放送局により腕時計Ａの通販番組が放送された時刻ｔ２１と、ユーザＵ１が腕時計Ａの検索を行った時刻ｔ２２との時間差ｔｄ２に基づいて、ユーザＵ１が影響ユーザであるかどうかを判定する。例えば、判定装置１００は、時間差ｔｄ２が所定の閾値以内であれば、ユーザＵ１を時刻ｔ２１において放送された腕時計Ａの通販番組に影響を受けた影響ユーザであると判定する。図１０に示す例では、判定装置１００は、ユーザＵ１をステップＳ２１において放送された腕時計Ａの通販番組に影響を受けた影響ユーザであると判定する。
【００８０】
図１０に示す例においては、ステップＳ２４において影響ユーザの判定を行ってから所定の期間が経過した時刻ｔ２３において所定の放送局により腕時計ＡのＣＭが放送される（ステップＳ２５）。図１０に示すように、テレビＴＶには、腕時計ＡのＣＭであるコンテンツＴＣ２２が表示される。なお、ステップＳ２１におけるテレビＴＶとステップＳ２５におけるテレビＴＶは、同じテレビ放送受信機であってもよいし、異なるテレビ放送受信機であってもよい。また、ステップＳ２１においてコンテンツＴＣ２１を放送する放送局とステップＳ２５においてコンテンツＴＣ２２を放送する放送局とは、同じ放送局であってもよいし、異なる放送局であってもよい。
【００８１】
ここで、判定装置１００は、ステップＳ２４においてユーザＵ１を腕時計Ａの通販番組に影響を受けた影響ユーザであると判定している。また、判定装置１００は、時刻ｔ２３において所定の放送局により腕時計ＡのＣＭが放送されることを示す公衆放送の放送時刻に関する情報を有する。そこで、判定装置１００は、時刻ｔ２３において腕時計ＡのＣＭが放送されるタイミングに合わせて、ユーザＵ１の利用する端末装置１０に腕時計Ａの広告ＡＣ２を配信する（ステップＳ２６）。例えば、判定装置１００は、時刻ｔ２３において腕時計ＡのＣＭが放送されるタイミングに合わせて、腕時計Ａのオークションに関する広告など、腕時計Ａの購入を促す広告を端末装置１０に配信する。例えば、判定装置１００は、ステップＳ２５の時点におけるユーザＵ１の位置が腕時計ＡのＣＭであるコンテンツＴＣ２２を放送する放送局の放送エリアに対応する場合、端末装置１０に腕時計Ａの広告ＡＣ２を配信する。例えば、判定装置１００は、端末装置１０に腕時計Ａの広告ＡＣ２として、腕時計Ａを販売する所定のショッピングサイトの腕時計Ａに関する情報を配信してもよい。
【００８２】
判定装置１００から腕時計Ａの広告ＡＣ２を受信した端末装置１０は、受信した腕時計Ａの広告ＡＣ２を、例えば時刻ｔ２４等の所定のタイミングで表示する（ステップＳ２７）。例えば、端末装置１０は、所定のブラウザを起動した際に、受信した腕時計Ａの広告ＡＣ２を表示してもよい。また、例えば、端末装置１０は、ステップＳ２６において腕時計Ａの広告ＡＣ２を受信した際に、広告ＡＣ２を表示、すなわち広告ＡＣ２をプッシュ通知してもよい。
【００８３】
このように、図１０に示す例において、判定装置１００は、腕時計Ａの検索が行われた時刻と、所定の放送局によって腕時計Ａの通販番組が放送された時刻とに基づいて、端末装置１０を利用するユーザＵ１が影響ユーザであるかを判定する。これにより、判定装置１００は、ユーザに提供した情報がユーザの行動に影響を与えたかを適切に判定することができる。したがって、判定装置１００は、公衆放送がユーザの行動に与える影響を適切に測定することができる。
【００８４】
なお、図１０に示す例においては、ステップＳ２１において放送されるコンテンツを腕時計Ａに関する情報を含む通販番組とする例を示したが、腕時計Ａに関する情報を含むコンテンツであればドラマや映画などどのようなコンテンツであってもよい。また、ステップＳ２５において放送されるコンテンツを腕時計Ａに関する広告とする例を示したが、腕時計Ａに関する情報を含むコンテンツであればドラマや映画などどのようなコンテンツであってもよい。このように、判定装置１００は、ＣＭ以外のコンテンツであっても、影響ユーザかどうかを判定することができる。すなわち、判定装置１００は、ユーザに提供した情報がユーザの行動に影響を与えたかを適切に判定することができる。これにより、判定装置１００は、適切な広告を配信することができる。
【００８５】
〔６−２．放送内容と配信広告〕
上述した例において影響ユーザに配信する広告は、通常配信される広告とは異なる広告であってもよい。例えば、判定装置１００は、影響ユーザが視聴していると想定される公衆放送の放送内容に基づく広告を配信してもよい。具体的には、判定装置１００は、影響ユーザに公衆放送の放送内容に関連して作成された広告を配信してもよい。これにより、判定装置１００は、より広告効果を高めることができる。また、放送内容に基づく広告を配信としては、放送内容に関連するクリエイティブ（広告制作物）を用いた広告の配信であってもよい。この場合、判定装置１００は、アプリに関する複数の広告をサーバ（例えば、広告情報記憶部１２３）に保持してもよい。そして、判定装置１００は、複数の広告の中から、放送内容に最も関連する広告を選択して、その広告をユーザに配信してもよい。これにより、判定装置１００は、放送内容に最適化された広告をユーザに配信することができる。例えば、判定装置１００は、単にアプリの広告を表示するのでなく、放送内容に関連したキャラクター等を含む放送内容に最適化されたクリエイティブによるアプリの広告をユーザに配信することができる。また、判定装置１００は、アプリに関する広告の構成要素となる複数の部分クリエイティブをサーバ（例えば、広告情報記憶部１２３）に保持してもよい。この場合、判定装置１００は、放送内容に基づいて、複数の部分クリエイティブを組み合わせた広告をユーザに配信してもよい。例えば、判定装置１００は、キャラクターＡが含まれる公衆放送の放送内容に関連してアプリＡの広告を配信する場合は、キャラクターＡに関する部分クリエイティブを含んだアプリＡの広告をユーザに配信してもよい。また、例えば、判定装置１００は、キャラクターＢが含まれる公衆放送の放送内容に関連して広告を配信する場合は、キャラクターＢに関する部分クリエイティブを含んだアプリＡの広告をユーザに配信してもよい。例えば、判定装置１００は、キャラクターＢが含まれる公衆放送の放送内容に関連して広告を配信する場合は、キャラクターＡが登場する部分をキャラクターＢに関する部分クリエイティブに差し替えたアプリＡの広告をユーザに配信してもよい。このように、判定装置１００は、放送内容に基づいて最適化された広告をユーザに配信することにより、広告の効果をさらに向上させることができる。なお、上記の放送内容に基づく広告の最適化は一例であり、判定装置１００は、目的に応じて種々の手段により放送内容に基づく広告の最適化を行ってもよい。
【００８６】
〔６−３．行動情報の利用〕
上記の例においては、判定装置１００が端末装置１０から取得した行動情報により判定した影響ユーザに関する情報に基づいて広告を配信する場合を示したが、判定装置１００は、公衆放送の効果測定としてのみ使用してもよい。例えば、判定装置１００は、公衆放送の放送時刻に対応して端末装置１０から取得した行動情報に基づいて、公衆放送の放送内容とユーザの行動との相関に関する分析を行ってもよい。この場合、判定装置１００は、多数のユーザの行動情報に基づいて統計的手法により分析を行ってもよい。
【００８７】
例えば、判定装置１００は、図１に示す例において、アプリＡのＣＭが放送時刻から所定の期間内に取得したユーザの行動情報における行動の内容の分布に基づく分析を行う。例えば、アプリＡのＣＭが放送時刻から所定の期間内の行動情報のうち、アプリＡを起動した割合や、アプリＡをダウンロードした割合や、アプリＡをインストールした割合や、アプリＡを検索した割合などに基づいて、アプリＡのＣＭがどのような行動により効果が高い広告であるかを分析する。これにより、判定装置１００は、精度よく広告効果の測定を行うことができる。また、判定装置１００が分析した分析情報に基づいて広告配信を行うことにより、判定装置１００は、より適切な広告配信ができる。例えば、判定装置１００は、アプリＡの起動に効果が高いと分析されたアプリＡのＣＭが放送された場合、既にアプリＡをインストール済みの影響ユーザに対してのみ、広告を配信してもよい。これにより、判定装置１００は、影響ユーザの中でも、さらにターゲットを絞ったユーザに対して広告を配信することができ、広告効果を向上させることができる。
【００８８】
また、判定装置１００は、影響ユーザと判定されたユーザを公衆放送と行動との相関性が高いユーザであると判定してもよい。この場合、判定装置１００は、影響ユーザと判定されたユーザに対して、公衆放送の放送内容と関連する広告を公衆放送の放送タイミングと合わせて配信してもよい。
【００８９】
〔６−４．端末装置における影響ユーザの判定〕
上記の例においては、判定装置１００が端末装置１０を利用するユーザが影響ユーザかどうかを判定する例を示したが、ユーザが利用する端末装置がそのユーザが影響ユーザかどうかを判定してもよい。この場合、例えば、ユーザの利用する端末装置が判定装置の影響ユーザを判定する機能を有してもよい。また、影響ユーザを判定する判定装置がユーザに利用される端末装置であってもよい。この点について、図１１〜図１４を用いて説明する。
【００９０】
〔６−４−１．判定処理〕
まず、図１１を用いて、判定システム２において端末装置が影響ユーザの判定を行う判定処理の一例について説明する。図１１は、変形例に係る判定処理の他の一例を示す図である。図１１に示す端末装置２０は、所定の行動が行われた時刻と、公衆放送の放送時刻とが所定の条件を満たす場合、端末装置２０を利用するユーザを公衆放送によって影響ユーザと判定する。具体的には、端末装置２０は、所定のアプリに関する行動であるアプリＡのダウンロードが行われた時刻と、公衆放送におけるアプリＡのＣＭが放送された時刻とに基づいて、端末装置２０を利用するユーザＵ１が影響ユーザであるかを判定する。なお、図１１に示す例では、端末装置２０は、ＣＭの放送内容を含む公衆放送の放送時刻に関する情報を予め取得しているものとして説明する。
【００９１】
また、端末装置２０は、公衆放送の放送時刻に基づいて、公衆放送における放送内容に関連する広告の配信要求を、広告を配信する配信装置５０に送信する。具体的には、端末装置２０は、公衆放送におけるアプリＡのＣＭの放送時刻に基づいて、アプリＡに関する広告の配信要求を配信装置５０に送信する。図１１に示す例においては、公衆放送として所定の放送局によるテレビジョン放送を一例として示す。
【００９２】
図１１に示す例においては、時刻ｔ３１において所定の放送局によりアプリＡのＣＭが放送される（ステップＳ３１）。図１１に示すように、所定のテレビＴＶには、アプリＡのＣＭであるコンテンツＴＣ３１が表示される。なお、図１１に示すアプリＡのＣＭが放送された時刻ｔ３１は、ステップＳ３１におけるアプリＡのＣＭの開始時刻やアプリＡのＣＭの終了時刻、アプリＡのＣＭの開始時刻と終了時刻との中間の時刻など、ステップＳ３１においてアプリＡのＣＭが放送されている時間内であれば、目的に応じて種々の時刻が選択されてもよい。図１１に示す例においては、ステップＳ３１におけるアプリＡのＣＭの開始時刻を時刻ｔ３１とする。以下では、ステップＳ３１の時点におけるユーザＵ１の位置がアプリＡのＣＭであるコンテンツＴＣ３１を放送する放送局の放送エリアに対応し、ユーザＵ１がコンテンツＴＣ３１が表示されたテレビＴＶを見た場合を例に説明する。
【００９３】
図１１に示す例においては、時刻ｔ３１においてアプリＡのＣＭが放送された後、ユーザＵ１は、時刻ｔ３２において端末装置２０にアプリＡのダウンロードを行う（ステップＳ３２）。例えば、ユーザＵ１は、時刻ｔ３２において端末装置２０にアプリＡのダウンロードを開始する。また、アプリＡのＣＭが放送された時刻ｔ３１と、ユーザＵ１がアプリＡのダウンロードを行った時刻ｔ３２との時間差をｔｄ３（＝ｔ３２−ｔ３１）とする。
【００９４】
時刻ｔ３２においてアプリＡのダウンロードが行われた後、端末装置２０は、ユーザＵ１の行動情報と、公衆放送の放送時刻に関する情報とに基づいて、影響ユーザの判定を行う（ステップＳ３３）。具体的には、端末装置２０は、ユーザＵ１の位置情報に対応する放送局を特定する。そして、端末装置２０は、ユーザＵ１の現在位置（地域）に対応する放送局によりアプリＡのＣＭが放送された時刻ｔ３１と、ユーザＵ１がアプリＡのダウンロードを行った時刻ｔ３２との時間差ｔｄ３に基づいて、ユーザＵ１が影響ユーザであるかどうかを判定する。例えば、端末装置２０は、時間差ｔｄ３が所定の閾値以内であれば、ユーザＵ１を時刻ｔ３１において放送されたアプリＡのＣＭに影響を受けた影響ユーザであると判定する。図１１に示す例では、端末装置２０は、ユーザＵ１をステップＳ３１において放送されたアプリＡのＣＭに影響を受けた影響ユーザであると判定する。例えば、端末装置２０は、ユーザＵ１をアプリＡに関する影響ユーザであると判定する。
【００９５】
図１１に示す例においては、ステップＳ３３において影響ユーザの判定が行われてから所定の期間が経過した時刻ｔ３３において所定の放送局によりアプリＡのＣＭが放送される（ステップＳ３４）。図１１に示すように、テレビＴＶには、アプリＡのＣＭであるコンテンツＴＣ３２が表示される。なお、ステップＳ３１において放送されるコンテンツＴＣ３１とステップＳ３４において放送されるコンテンツＴＣ３２とは、アプリＡに関するコンテンツであれば、同じコンテンツであってもよいし、異なるコンテンツであってもよい。また、ステップＳ３１におけるテレビＴＶとステップＳ３４におけるテレビＴＶは、同じテレビ放送受信機であってもよいし、異なるテレビ放送受信機であってもよい。また、ステップＳ３１においてコンテンツＴＣ３１を放送する放送局とステップＳ３４においてコンテンツＴＣ３２を放送する放送局とは、同じ放送局であってもよいし、異なる放送局であってもよい。
【００９６】
ここで、端末装置２０は、ステップＳ３３においてユーザＵ１をアプリＡのＣＭに影響を受けた影響ユーザであると判定している。また、端末装置２０は、時刻ｔ３３において所定の放送局によりアプリＡのＣＭが放送されることを示す公衆放送の放送時刻に関する情報を有する。そこで、端末装置２０は、時刻ｔ３３においてアプリＡのＣＭが放送されるタイミングに合わせて、配信装置５０にアプリＡに関する広告の配信要求を送信する（ステップＳ３５）。例えば、端末装置２０は、ステップＳ３４の時点におけるユーザＵ１の位置がアプリＡのＣＭであるコンテンツＴＣ３２を放送する放送局の放送エリアに対応する場合、配信装置５０にアプリＡに関する広告の配信要求を送信する。
【００９７】
そして、端末装置２０からアプリＡに関する広告の配信要求を受け付けた配信装置５０は、端末装置２０にアプリＡの広告ＡＣ１を配信する（ステップＳ３６）。例えば、配信装置５０は、端末装置２０からアプリＡに関する広告の配信要求に基づいて、アプリＡのキャンペーンに関する広告など、アプリＡの利用を促す広告を端末装置２０に配信する。
【００９８】
配信装置５０からアプリＡの広告ＡＣ１を受信した端末装置２０は、受信したアプリＡの広告ＡＣ１を、例えば時刻ｔ３４等の所定のタイミングで表示する（ステップＳ３７）。例えば、端末装置２０は、アプリＡ以外のアプリを起動した際に、受信したアプリＡの広告ＡＣ１を表示してもよい。また、例えば、端末装置２０は、ステップＳ３６においてアプリＡの広告ＡＣ１を受信した際に、広告ＡＣ１を表示、すなわち広告ＡＣ１をプッシュ通知してもよい。
【００９９】
このように、図１１に示す例において、端末装置２０は、アプリＡのダウンロードが行われた時刻と、所定の放送局によってアプリＡのＣＭが放送された時刻とに基づいて、端末装置２０を利用するユーザＵ１が影響ユーザであるかを判定する。これにより、端末装置２０は、ユーザに提供した情報がユーザの行動に影響を与えたかを適切に判定することができる。したがって、端末装置２０は、公衆放送がユーザの行動に与える影響を適切に測定することができる。
【０１００】
また、端末装置２０は、ユーザＵ１をアプリＡのＣＭに影響を受けた影響ユーザであると判定した情報と、アプリＡのＣＭが放送される放送時刻に関する情報とに基づいて、所定のタイミングでアプリＡに関する広告の配信要求を配信装置５０に送信する。これにより、端末装置２０は、適切なタイミングで広告の配信を受けることができる。なお、端末装置２０は、ユーザＵ１をアプリＡに関する影響ユーザであると判定した場合、アプリＡに類似するアプリであるアプリＢのＣＭが放送される放送時刻に関する情報とに基づいて、所定のタイミングでアプリＢに関する広告の配信要求を配信装置５０に送信してもよい。このように、端末装置２０は、影響ユーザと判定された行動に関する商品に類似する商品に関する情報を、類似する商品に関する公衆放送が放送されるタイミングに合わせて配信装置５０に要求してもよい。なお、端末装置２０は、ユーザＵ１をアプリＡに関する影響ユーザであると判定した場合、ユーザＵ１はカテゴリ「アプリ」に関する影響ユーザであると判定してもよい。このように、端末装置２０は、カテゴリに関する影響ユーザとして判定してもよい。そして、端末装置２０は、影響ユーザであると判定されたカテゴリに関する情報を、カテゴリに関する公衆放送が放送されるタイミングに合わせて配信装置５０に要求してもよい。
【０１０１】
なお、図１１に示す例においては、端末装置２０は、アプリＡのダウンロードの有無に基づいて、影響ユーザの判定を行ったが、アプリＡのインストールの有無またはアプリＡに関する情報の取得の有無またはアプリＡの起動の有無に基づいて、影響ユーザの判定を行ってもよい。例えば、端末装置２０がアプリＡの起動の有無に基づいて影響ユーザの判定を行う場合、ユーザがアプリＡを久しく使っていなかったが広告を見て再度使い始めた場合に、ユーザをアプリＡに関する影響ユーザと判定することができる。例えば、端末装置２０は、アプリＡに関する情報の取得として、ユーザＵ１がアプリＡに関する検索を行ったか、アプリＡに関するウェブサイトを閲覧したかに関する情報に基づいて、影響ユーザの判定を行ってもよい。
【０１０２】
〔６−４−２．端末装置の構成〕
次に、図１２を用いて、変形例に係る端末装置２０の構成について説明する。図１２は、変形例に係る端末装置の一例を示す図である。図１２に示すように、端末装置２０は、通信部２１と、記憶部２２と、入力部２３と、出力部２４と、制御部２５とを有する。
【０１０３】
（通信部２１）
通信部２１は、例えば、通信回路等によって実現される。そして、通信部２１は、図示しない所定のネットワークと有線または無線で接続され、配信装置５０や所定の提供元装置（例えば、図２に示す提供元装置２００）との間で情報の送受信を行う。
【０１０４】
（記憶部２２）
記憶部２２は、例えば、ＲＡＭ、フラッシュメモリ等の半導体メモリ素子、または、ハードディスク、光ディスク等の記憶装置によって実現される。記憶部２２は、例えば、端末装置２０にインストールされているアプリケーションに関する情報、例えばプログラム等を記憶する。変形例に係る記憶部２２は、図１２に示すように、放送情報記憶部２２１と、ユーザ情報記憶部２２２とを有する。
【０１０５】
（放送情報記憶部２２１）
変形例に係る放送情報記憶部２２１は、公衆放送に関する情報を記憶する。図１３には、放送情報記憶部２２１に記憶される公衆放送に関する情報の一例を示す。図１３に示すように、放送情報記憶部２２１は、公衆放送に関する情報として、「放送時間」、「放送局」といった項目が含まれる。
【０１０６】
「放送時間」は、公衆放送に関する放送時間を示す。例えば、「放送時間」は、各時間の開始時刻や終了時刻を示す。また、「放送局」には、「局Ａ」、「局Ｂ」、「局Ｃ」などが含まれ、局ごとに放送時間に対応する公衆放送に関する情報が記憶される。具体的には、「放送局」は、「局Ａ」、「局Ｂ」、「局Ｃ」など各局が放送する番組やＣＭ等のコンテンツの内容に関する情報を示す。
【０１０７】
なお、放送情報記憶部２２１は、上記は公衆放送に関する情報の一例であって、公衆放送に関する情報であれば目的に応じて種々の情報を記憶してもよい。例えば、放送情報記憶部２２１は、出演者に関する情報などを記憶してもよい。
【０１０８】
（ユーザ情報記憶部２２２）
変形例に係るユーザ情報記憶部２２２は、端末装置２０を利用するユーザに関する情報を記憶する。図１４には、ユーザ情報記憶部２２２に記憶されるユーザに関する情報の一例を示す。図１４に示すように、ユーザ情報記憶部２２２は、ユーザに関する情報として、「現在位置」、「商品名」、「時刻」、「行動」、「配信」といった項目が含まれる。
【０１０９】
「現在位置」は、端末装置２０を利用するユーザの現在位置を示す。「商品名」は、端末装置２０を利用するユーザが影響ユーザであると判定された商品やサービス等の名称を示す。「時刻」は、対応する商品名に関するユーザの行動情報が取得された時刻を示す。「行動」は、対応する商品名に関するユーザの行動情報に含まれるユーザが行った行動を示す。「配信」は、対応する商品名に関する広告の配信可否を示す。
【０１１０】
なお、ユーザ情報記憶部２２２は、上記に限らず、目的に応じて種々の情報を記憶してもよい。例えば、ユーザ情報記憶部２２２は、商品名「アプリＡ」に関する広告の配信期間に関する情報を記憶してもよい。
【０１１１】
（入力部２３）
入力部２３は、ユーザからの各種操作を受け付ける。例えば、入力部２３は、タッチパネル機能により表示面を介してユーザからの各種操作を受け付けてもよい。また、入力部２３は、端末装置２０に設けられたボタンや、端末装置２０に接続されたキーボードやマウスからの各種操作を受け付けてもよい。
【０１１２】
（出力部２４）
出力部２４は、例えば液晶ディスプレイや有機ＥＬ（Electro-Luminescence）ディスプレイ等によって実現されるタブレット端末等の表示画面であり、各種情報を表示するための表示装置である。
【０１１３】
（制御部２５）
制御部２５は、例えば、ＣＰＵやＭＰＵ等によって、端末装置２０内部の記憶部２２などの記憶装置に記憶されている各種プログラムがＲＡＭを作業領域として実行されることにより実現される。例えば、この各種プログラムは、インストールされているアプリケーションのプログラムが含まれる。また、制御部２５は、例えば、ＡＳＩＣやＦＰＧＡ等の集積回路により実現される。
【０１１４】
図１２に示すように、制御部２５は、送信部２５１と、判定部２５２と、取得部２５３と、表示部２５４とを有し、以下に説明する判定処理の機能や作用を実現または実行する。なお、制御部２５の内部構成は、図１２に示した構成に限られず、後述する判定処理を行う構成であれば他の構成であってもよい。また、制御部２５が有する各処理部の接続関係は、図１２に示した接続関係に限られず、他の接続関係であってもよい。また、端末装置２０の判定部２５２における処理は、判定装置１００の判定部１３２における処理と同様の処理については記載を省略する。
【０１１５】
送信部２５１は、判定部２５２により判定されたユーザが影響ユーザであることを示す情報に基づく広告の配信要求を配信装置５０に送信する。また、送信部２５１は、公衆放送の放送時刻に基づいて、公衆放送における放送内容に関連する広告の配信要求を送信する。また、送信部２５１は、所定の行動に関連する公衆放送が開始された時刻から所定の期間内に、公衆放送における放送内容に関連する広告の配信要求を送信する。
【０１１６】
取得部２５３は、端末装置２０を利用するユーザに関する行動情報を取得する。例えば、取得部２５３は、行動情報として、ユーザ情報記憶部２２２に記憶されるユーザに関する情報を取得する。例えば、取得部２５３は、ユーザが所定のアプリのダウンロードを行ったことを示す情報や、所定のアプリのダウンロードを行った時刻を示す情報を取得する。また、取得部２５３は、公衆放送に関する情報を外部の情報処理装置から取得してもよい。また、取得部２５３は、公衆放送に関する情報を外部の情報処理装置から取得した場合、放送情報記憶部２２１に記憶する。取得部２５３は、配信装置５０から配信された広告を取得する。また、取得部２５３は、端末装置２０にインストールされたアプリに含まれる所定のＳＤＫにより収集されるアプリの利用履歴に関する情報を取得してもよい。
【０１１７】
判定部２５２は、取得部２５３により取得された行動情報により特定される所定の行動が行われた時刻と、所定の公衆放送の放送時刻とが所定の条件を満たす場合、端末装置２０を利用するユーザを所定の公衆放送によって所定の行動を行ったユーザである影響ユーザと判定する。例えば、判定部２５２は、所定の行動が行われた時刻と、ユーザの位置情報により特定される地域における公衆放送の放送時刻とが所定の条件を満たす場合、ユーザを影響ユーザと判定する。
【０１１８】
判定部２５２は、所定の行動の対象と、公衆放送の放送内容とが所定の条件を満たす場合、ユーザを影響ユーザと判定する。例えば、判定部２５２は、所定の行動の対象が、公衆放送の放送内容に関連する場合、所定の条件を満たすと判定する。また、判定部２５２は、ユーザの位置情報に対応する放送局を特定する。そして、判定部２５２は、ユーザの現在位置（地域）に対応する放送局によりＣＭが放送された時刻と、ユーザが所定の行動を行った時刻との時間差に基づいて、ユーザが影響ユーザであるかどうかを判定する。
【０１１９】
表示部２５４は、配信装置５０から配信された広告を表示する。例えば、表示部２５４は、取得部２５３により取得された広告を、所定のタイミングで表示する。
【０１２０】
なお、上述した制御部２５による選択処理等の処理は、例えば、ＪａｖａＳｃｒｉｐｔ（登録商標）などにより実現されてもよい。また、上述した広告の表示に関する処理が専用アプリにより行われる場合、制御部２５は、例えば、所定のアプリや専用アプリを制御するアプリ制御部を有してもよい。
【０１２１】
上述した端末装置２０においては、例えば、送信部２５１は、端末装置２０を利用するユーザがアプリＡに関する影響ユーザと判定されている場合、アプリＡに関する放送内容のコンテンツが放送されるタイミングに合わせて、配信装置５０にアプリＡに関する広告の配信要求を送信する。そして、配信装置５０から配信されたアプリＡに関する広告を表示部２５４が表示することにより、適切な内容の広告を適切なタイミングでユーザが認識する。このように、端末装置２０を利用するユーザが影響ユーザであることが判定できた場合、端末装置２０は、ユーザが視聴する公衆放送を特定して、その内容に適した広告の配信要求を行い、その広告を適切なタイミングで表示することができる。
【０１２２】
上記のように、端末装置２０は、ユーザに提供した情報がユーザの行動に影響を与えたかを適切に判定することにより公衆放送がユーザの行動に与える影響を適切に測定することができる。また、端末装置２０は、公衆放送の放送時刻に基づいて、公衆放送における放送内容に関連する広告の配信要求を送信することにより、ユーザに適した内容の広告の配信を適切なタイミングで受けることができ、広告の効果を向上させることができる。また、端末装置２０は、公衆放送の放送内容に関連する広告の配信を受けることにより、広告の効果を向上させることができる。また、端末装置２０は、ユーザを公衆放送開始から所定期間内に広告の配信を要求することにより、より適切なタイミングで広告を表示させ、広告の効果をさらに向上させることができる。
【０１２３】
〔７．効果〕
上述してきたように、実施形態及び変形例に係る判定装置１００は、取得部１３１と、判定部１３２とを有する。取得部１３１は、端末装置１０を利用するユーザに関する行動情報を取得する。判定部１３２は、取得部１３１により取得された行動情報により特定される所定の行動が行われた時刻と、所定の公衆放送の放送時刻とが所定の条件を満たす場合、端末装置１０を利用するユーザを所定の公衆放送によって所定の行動を行ったユーザである影響ユーザと判定する。
【０１２４】
これにより、実施形態及び変形例に係る判定装置１００は、所定の行動が行われた時刻と、所定の公衆放送の放送時刻とに基づいて、影響ユーザを判定する。これにより、判定装置１００は、ユーザに提供した情報がユーザの行動に影響を与えたかを適切に判定することができる。したがって、判定装置１００は、公衆放送がユーザの行動に与える影響を適切に測定することができる。
【０１２５】
また、実施形態及び変形例に係る判定装置１００において取得部１３１は、端末装置１０から位置情報を取得する。判定部１３２は、所定の行動が行われた時刻と、端末装置１０から取得した位置情報により特定される地域における公衆放送の放送時刻とが所定の条件を満たす場合、ユーザを影響ユーザと判定する。
【０１２６】
これにより、実施形態及び変形例に係る判定装置１００は、所定の行動が行われた時刻と、ユーザの現在位置に対応する放送局による公衆放送の放送時刻とに基づいて、影響ユーザを判定する。これにより、判定装置１００は、ユーザに提供した情報がユーザの行動に影響を与えたかを適切に判定することができる。したがって、判定装置１００は、公衆放送がユーザの行動に与える影響を適切に測定することができる。
【０１２７】
また、実施形態及び変形例に係る判定装置１００において判定部１３２は、所定の行動の対象と、公衆放送の放送内容とが所定の条件を満たす場合、ユーザを影響ユーザと判定する。
【０１２８】
これにより、実施形態及び変形例に係る判定装置１００は、所定の行動の対象と、公衆放送の放送内容との関係に基づいて、影響ユーザを判定する。これにより、判定装置１００は、ユーザに提供した情報がユーザの行動に影響を与えたかを適切に判定することができる。したがって、判定装置１００は、公衆放送がユーザの行動に与える影響を適切に測定することができる。
【０１２９】
また、実施形態及び変形例に係る判定装置１００において、判定部１３２は、所定の行動として所定のアプリケーションに関する行動が行われた時刻と、所定のアプリケーションに関連する公衆放送の放送時刻とが所定の条件を満たす場合、ユーザを公衆放送によって所定のアプリケーションに関する行動を行った影響ユーザと判定する。
【０１３０】
これにより、実施形態及び変形例に係る判定装置１００は、所定のアプリケーションに関する行動が行われた時刻と、所定の公衆放送の放送時刻とに基づいて、影響ユーザを判定する。これにより、判定装置１００は、ユーザに提供した情報がユーザのアプリケーションに関する行動に影響を与えたかを適切に判定することができる。したがって、判定装置１００は、公衆放送がユーザの行動に与える影響を適切に測定することができる。
【０１３１】
また、実施形態及び変形例に係る判定装置１００において、判定部１３２は、所定のアプリケーションに関する行動を、所定のアプリケーションのインストールまたは所定のアプリケーションのダウンロードまたは所定のアプリケーションに関する情報の取得または所定のアプリケーションの起動として、ユーザが影響ユーザかどうかを判定する。
【０１３２】
これにより、実施形態及び変形例に係る判定装置１００は、所定のアプリケーションに関するダウンロード、インストール、検索などの情報の取得が行われた時刻と、所定の公衆放送の放送時刻とに基づいて、影響ユーザを判定する。これにより、判定装置１００は、ユーザに提供した情報がユーザのアプリケーションに関する行動に影響を与えたかを適切に判定することができる。したがって、判定装置１００は、公衆放送がユーザの行動に与える影響を適切に測定することができる。
【０１３３】
また、実施形態及び変形例に係る判定装置１００において、判定部１３２は、所定の行動として所定の商品または所定のサービスに関する行動が行われた時刻と、所定の商品または所定のサービスに関連する公衆放送の放送時刻とが所定の条件を満たす場合、ユーザを公衆放送の放送によって所定の商品または所定のサービスに関する行動を行った影響ユーザと判定する。
【０１３４】
これにより、実施形態及び変形例に係る判定装置１００は、所定の商品または所定のサービスに関する行動が行われた時刻と、所定の公衆放送の放送時刻とに基づいて、影響ユーザを判定する。これにより、判定装置１００は、ユーザに提供した情報がユーザの所定の商品または所定のサービスに関する行動に影響を与えたかを適切に判定することができる。したがって、判定装置１００は、公衆放送がユーザの行動に与える影響を適切に測定することができる。
【０１３５】
また、実施形態及び変形例に係る判定装置１００は、配信部１３３を有する。配信部１３３は、公衆放送の放送時刻に基づいて、端末装置１０に公衆放送における放送内容に関連する広告を配信する。
【０１３６】
これにより、公衆放送の放送内容に関連する広告を端末装置１０に配信する。これにより、判定装置１００は、適切な内容の広告を配信することができる。
【０１３７】
また、実施形態及び変形例に係る判定装置１００において、配信部１３３は、所定の行動に関連する公衆放送が開始された時刻から所定の期間内に、影響ユーザの端末装置１０に公衆放送における放送内容に関連する広告を配信する。
【０１３８】
これにより、ユーザを公衆放送に影響を受けた影響ユーザであると判定した情報と、公衆放送が放送される放送時刻に関する情報とに基づいて、所定のタイミングで公衆放送に関連する内容の広告を端末装置１０に配信する。これにより、判定装置１００は、適切なタイミングで適切な内容の広告を配信することができる。
【０１３９】
また、実施形態及び変形例に係る判定装置１００において、判定部１３２は、所定の行動が行われた時刻が、公衆放送が開始された時刻から所定の期間内である場合、ユーザを影響ユーザと判定する。
【０１４０】
これにより、実施形態及び変形例に係る判定装置１００は、所定の行動が行われた時刻と、所定の公衆放送の放送時刻とが所定の期間内である場合に、ユーザを影響ユーザと判定する。これにより、判定装置１００は、ユーザに提供した情報がユーザの行動に影響を与えたかを適切に判定することができる。したがって、判定装置１００は、公衆放送がユーザの行動に与える影響を適切に測定することができる。
【０１４１】
また、実施形態及び変形例に係る判定装置１００において、判定部１３２は、所定の行動が行われた時刻と、公衆放送における放送内容であるコマーシャルメッセージの放送時刻とが所定の条件を満たす場合、端末装置１０を利用するユーザをコマーシャルメッセージによって所定の行動を行ったユーザである影響ユーザと判定する。
【０１４２】
これにより、実施形態及び変形例に係る判定装置１００は、所定の行動が行われた時刻と、コマーシャルメッセージ（ＣＭ）の放送時刻とが所定の期間内である場合に、ユーザを影響ユーザと判定する。これにより、判定装置１００は、公衆放送によりユーザに提供した情報であるコマーシャルメッセージがユーザの行動に影響を与えたかを適切に判定することができる。したがって、判定装置１００は、コマーシャルメッセージがユーザの行動に与える影響を適切に測定することができる。
【０１４３】
また、変形例に係る端末装置２０は、取得部２５３と、判定部２５２とを有する。取得部２５３は、ユーザに関する行動情報を取得する。判定部２５２は、取得部２５３により取得された行動情報により特定される所定の行動が行われた時刻と、所定の公衆放送の放送時刻とが所定の条件を満たす場合、ユーザを所定の公衆放送によって所定の行動を行ったユーザである影響ユーザと判定する。
【０１４４】
これにより、変形例に係る端末装置２０は、所定の行動が行われた時刻と、所定の公衆放送の放送時刻とに基づいて、影響ユーザを判定する。これにより、端末装置２０は、ユーザに提供した情報がユーザの行動に影響を与えたかを適切に判定することができる。したがって、端末装置２０は、公衆放送がユーザの行動に与える影響を適切に測定することができる。
【０１４５】
また、変形例に係る端末装置２０は、送信部２５１を有する。送信部２５１は、判定部２５２により判定されたユーザが影響ユーザであることを示す情報に基づく広告の配信要求を所定の配信装置に送信する。
【０１４６】
これにより、変形例に係る端末装置２０は、公衆放送の放送時刻に基づいて、公衆放送における放送内容に関連する広告の配信要求を送信することにより、ユーザに適した内容の広告の配信を適切なタイミングで受けることができ、広告の効果を向上させることができる。
【０１４７】
また、変形例に係る端末装置２０において、送信部２５１は、公衆放送の放送時刻に基づいて、公衆放送における放送内容に関連する広告の配信要求を送信する。
【０１４８】
これにより、変形例に係る端末装置２０は、公衆放送の放送内容に関連する広告の配信を受けることにより、広告の効果を向上させることができる。
【０１４９】
また、変形例に係る端末装置２０において、送信部２５１は、所定の行動に関連する公衆放送が開始された時刻から所定の期間内に、公衆放送における放送内容に関連する広告の配信要求を送信する。
【０１５０】
これにより、変形例に係る端末装置２０は、ユーザを公衆放送開始から所定期間内に広告の配信を要求することにより、より適切なタイミングで広告を表示させ、広告の効果をさらに向上させることができる。
【０１５１】
〔８．ハードウェア構成〕
上述してきた実施形態及び変形例に係る判定装置１００は、例えば図１５に示すような構成のコンピュータ１０００によって実現される。図１５は、判定装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１５２】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１５３】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１５４】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１５５】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５６】
例えば、コンピュータ１０００が実施形態及び変形例に係る判定装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１５７】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１５８】
〔９．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１６０】
また、上述してきた実施形態及び変形例は、処理内容を矛盾させない範囲で適宜組み合わせることが可能である。
【０１６１】
また、上述してきた「部（section、module、unit）」は、「手段」や「回路」などに読み替えることができる。例えば、取得部は、取得手段や取得回路に読み替えることができる。
【符号の説明】
【０１６２】
１  判定システム
１００  判定装置
１２１  放送情報記憶部
１２２  ユーザ情報記憶部
１２３  広告情報記憶部
１３０  制御部
１３１  取得部
１３２  判定部
１３３  配信部
【要約】      （修正有）【課題】ユーザに提供した情報がユーザの行動に影響を与えたかを適切に判定する、判定装置、端末装置、判定方法及び判定プログラムを提供する。【解決手段】判定装置１００は、取得部１３１と、判定部１３２とを有する。取得部１３１は、端末装置を利用するユーザに関する行動情報を取得する。判定部１３２は、取得部１３１により取得された行動情報により特定される所定の行動が行われた時刻と、所定の公衆放送の放送時刻とが所定の条件を満たす場合、端末装置を利用するユーザを所定の公衆放送によって所定の行動を行ったユーザである影響ユーザと判定する。例えば、判定部１３２は、所定の行動として所定のアプリケーションに関する行動が行われた時刻と、所定のアプリケーションに関連する公衆放送の放送時刻とが所定の条件を満たす場合、ユーザを公衆放送によって所定のアプリケーションに関する行動を行った影響ユーザと判定する。【選択図】図３【図１】
0005941198.tif 000002
【図２】
0005941198.tif 000003
【図３】
0005941198.tif 000004
【図４】
0005941198.tif 000005
【図５】
0005941198.tif 000006
【図６】
0005941198.tif 000007
【図７】
0005941198.tif 000008
【図８】
0005941198.tif 000009
【図９】
0005941198.tif 000010
【図１０】
0005941198.tif 000011
【図１１】
0005941198.tif 000012
【図１２】
0005941198.tif 000013
【図１３】
0005941198.tif 000014
【図１４】
0005941198.tif 000015
【図１５】
0005941198.tif 000016